(57)【特許請求の範囲】
【請求項１】
第一のレンズと、
前記第一のレンズに光学的に連結された第二のレンズと、
前記第一のレンズおよび前記第二のレンズの協働によってフォーカスされた光を受け取って処理するように配置される焦点面と、を備え、
前記第一のレンズ、前記第二のレンズ、および前記焦点面は、互いに光学軸に沿って不
可動となっており、
前記第一のレンズは、
電子アクティブレンズであるとともに、少なくとも二つの基材を有し、
前記第二のレンズから第一の距離だけ物理的に離隔し、且つ、前記焦点面から第二の
距離だけ物理的に離隔しており、
略透明の伝導性電極層は、各基材に動作可能に連結され、
前記電極層の少なくとも一つがパターン化され、複数のリング電極を含み、
前記複数のリング電極の少なくとも一つのリング電極は、抵抗ブリッジによって前記複数のリング電極の隣接するリング電極に電気的に接続され、
前記少なくとも一つのリング電極は、入力接続に電気的に接続され、
前記隣接するリング電極は、前記抵抗ブリッジおよび前記少なくとも一つのリング電極を介して前記入力接続に電気的に接続されている
、システム。
【請求項２】
前記第一のレンズは、可変のフォーカス能力を提供するために、調整可能な屈折力を有
する、請求項１に記載のシステム。
【請求項３】
前記第一のレンズの調整可能な屈折力は、所定の屈折力の範囲内で変化するように適応
されている、請求項１に記載のシステム。
【請求項４】
前記第一のレンズの調整可能な屈折力は、所定の屈折力の範囲内において、連続的に変
化するように適応されている、請求項１に記載のシステム。
【請求項５】
前記第一のレンズの調整可能な屈折力は、所定の屈折力の範囲内において、離散的に変
化するように適応されている、請求項１に記載のシステム。
【請求項６】
前記第一のレンズは、ポジティブの屈折力とネガティブの屈折力との間にて調整される
ように適応されている、請求項１に記載のシステム。
【請求項７】
前記基材の少なくとも一つは、エッチングパターンを備える、請求項１に記載のシステム。
【請求項８】
前記電極層の少なくとも一つは、リソグラフィーによってパターン化される、請求項１に記載のシステム。
【請求項９】
前記第一のレンズ間の電圧プロファイルを調整することによって、多くの球形レンズパワーが供給される、請求項１に記載のシステム。
【請求項１０】
前記第一のレンズの調整可能な屈折力を変化させるように適応されたコントローラをさ
らに備える、請求項１に記載のシステム。
【請求項１１】
前記第二のレンズは、固定の屈折力を有する、請求項１に記載のシステム。
【請求項１２】
前記第二のレンズは、電子アクティブレンズである、請求項１に記載のシステム。
【請求項１３】
前記第一の電子アクティブレンズは、第一の可変フォーカス能力を提供するように適応
された第一の調整可能な屈折力を有し、
前記第二の電子アクティブレンズは、電子アクティブレンズであって、第二の可変フォ
ーカス能力を提供するように適応された第二の調整可能な屈折力を有する、請求項１に記
載のシステム。
【請求項１４】
前記第二のレンズは、電子アクティブレンズであって、
前記第一のレンズが、ネガティブの屈折力を提供するように制御され、且つ、前記第二
のレンズが、ポジティブの屈折力を提供するように制御されたときに、倍率の拡大または
縮小を提供するように適応された、請求項１に記載のシステム。
【請求項１５】
前記第二のレンズは、電子アクティブレンズであって、
前記第一のレンズが、ポジティブの屈折力を提供するように制御され、且つ、前記第二
のレンズが、ネガティブの屈折力を提供するように制御されたときに、倍率の拡大または
縮小を提供するように適応された、請求項１に記載のシステム。
【請求項１６】
前記第二のレンズは、電子アクティブレンズであって、
前記第二のレンズの調整可能な屈折力を変化させるように適応されたコントローラをさ
らに備える、請求項１に記載のシステム。
【請求項１７】
第三のレンズをさらに備え、
前記第三のレンズは、
固定の屈折力を有し、
前記第一のレンズから第三の距離だけ物理的に離隔し、
前記第一および第二のレンズに対して光学軸に沿って不可動となっており、且つ、
前記第一のレンズ、前記第二のレンズ、および焦点面に光学的に連結されている、請
求項１に記載のシステム。
【請求項１８】
第三のレンズをさらに備え、
前記第三のレンズは、
電子アクティブレンズであって、
前記第一のレンズから第三の距離だけ物理的に離隔し、
前記第一および第二のレンズに対して光学軸に沿って不可動となっており、且つ、
前記第一のレンズ、前記第二のレンズ、および焦点面に光学的に連結されている、請
求項１に記載のシステム。
【請求項１９】
前記焦点面は、電荷結合素子（ＣＣＤ）有する、請求項１に記載のシステム。
【請求項２０】
前記焦点面は、相補型金属酸化膜半導体装置（ＣＭＯＳ）を有する、請求項１に記載の
システム。
【発明の詳細な説明】
【技術分野】
【０００１】
本発明は、システムに関するものであって、特に、ダイナミックフォーカス能力およびズーム能力を有する改善された電子アクティブ光学システムを提供するものである。
【背景技術】
【０００２】
この発明の優先権は２００９年１月１５日に出願された米国仮出願番号６１／１４４，７９６および２００９年７月１３日に出願された米国仮出願番号６１／２２５，０６５に基づき、それらの全文を本願明細書に参照により引用する。
【０００３】
従来の光学フォーカスシステムおよびズームシステムは、可動部品を必要としている。結果として、これら従来のシステムが組み込まれた装置は、大型となり、重量も重くなり、且つ、微粒子の汚染による故障をし易い傾向がある。さらに、従来の光学フォーカスおよびズームシステムは、衝撃や振動による故障をし易い傾向もある。
【０００４】
したがって、可動部品を必要としない改善された光学フォーカスシステムおよび光学ズームシステムが、求められている。可動部品の必要性を排除することによって、改善された光学フォーカスおよびズームシステムを備える装置は、より薄く、より軽量に製造することが可能となる。また、これら装置においては、衝撃や振動に対する耐久性が向上し、微粒子汚染による故障の傾向もより少なくなる。
【発明の概要】
【課題を解決するための手段】
【０００５】
本発明の一局面として、可動部品を備えないダイナミックフォーカスシステムを提供する。例えば、本発明に係るダイナミックフォーカスシステムにおいては、全てのレンズおよび焦点面、またはそれらの一部が、光学軸に沿って不可動となっている。本発明に係るダイナミックフォーカスシステムは、電子アクティブレンズと、電子アクティブレンズおよび焦点面に光学的に連結された固定フォーカスレンズを備える。焦点面は、電子アクティブレンズおよび固定フォーカスレンズの協働によってフォーカスされた光を受光するように配置される。本発明に係る電子アクティブレンズは、可変のフォーカス能力を提供するために、調整可能な屈折力（ｏｐｔｉｃａｌ  ｐｏｗｅｒ）を有していてもよい。本発明に係るダイナミックフォーカスシステムは、電子アクティブレンズの調整可能な屈折力を変化させるために、コントローラを備えていてもよい。本発明に係るダイナミックフォーカスシステムは、電子アクティブレンズの制御された可変屈折力に基づいて、様々な距離に配置された対象物にフォーカスすることが可能である。本発明に係るダイナミックフォーカスシステムによってフォーカスされた光は、可視光、または、例えば紫外線や赤外線のような他のタイプの電磁波の形態であってもよい。
【０００６】
本発明の一局面として、可動部品を備えないダイナミックズームシステムを提供する。例えば、本発明に係るダイナミックズームシステムにおいては、全てのレンズおよび焦点面、またはそれらの一部が、光学軸に沿って不可動となっている。本発明に係るダイナミックズームシステムは、第一の電子アクティブレンズと、第二の電子アクティブレンズと、固定フォーカスレンズと、焦点面とを備える。第一の電子アクティブレンズと、第二の電子アクティブレンズと、固定フォーカスレンズとは、光学的に連結されていてもよい。焦点面は、第一および第二の電子アクティブレンズと、固定フォーカスレンズとの協働によってフォーカスされた光を受光するように配置される。本発明に係るダイナミックズームシステムは、電子アクティブレンズの調整可能な屈折力を変化させるために、コントローラを備えていてもよい。本発明に係るダイナミックズームシステムは、電子アクティブレンズの制御された可変屈折力に基づいて、倍率の拡大および縮小を提供してもよい。本発明に係るダイナミックフォーカスシステムおよびダイナミックズームシステムは、互いと協働するように用いられてもよいし、および／または、如何なる数の追加の電子アクティブレンズまたは固定フォーカスレンズと協働するように用いられてもよい。
【図面の簡単な説明】
【０００７】
【図１】本発明の一局面に係る第一のダイナミックフォーカスシステムを示す。
【図２】本発明の一局面に係る第二のダイナミックフォーカスシステムを示す。
【図３】従来のズームレンズシステムを示す。
【図４】ズームまたは望遠設定における従来のズームレンズシステムを示す。
【図５】本発明の一局面に係るズームシステムを示す。
【図６】本発明の一局面に係る第二のズームシステムを示す。
【発明を実施するための形態】
【０００８】
図１は、本発明の一局面に係るダイナミックフォーカスシステム１００を示す。ダイナミックフォーカスシステム１００は、如何なる可動部品または可動コンポーネントを用いることなく（すなわち、構成要素のコンポーネントは、互いに光学軸に沿って移動することが不可能となっている）、様々な距離に置かれた対象物にフォーカスする能力を提供することができる。ダイナミックフォーカスシステム１００は、互いに光学的に連結された電子アクティブレンズ１０２および固定フォーカスレンズ１０４を備える。固定フォーカスレンズ１０４は、図示の観点から両凸レンズとして示されているが、これに限定されない。すなわち、固定フォーカスレンズ１０４は、固定または静的な屈折力を有する如何なるタイプのレンズであってもよい。
【０００９】
ダイナミックフォーカスシステム１００は、図１において、一つの電子アクティブレンズ１０２、および一つの固定フォーカスレンズ１０４を備える形態として図示されているが、これに限定されない。すなわち、本発明に係るダイナミックフォーカスシステム１００は、如何なる数の電子アクティブレンズ、および如何なる数の固定フォーカスレンズを備えていてもよい。さらに、本発明に係るダイナミックフォーカスシステム１００においては、如何なる数の電子アクティブレンズ、および如何なる数の固定フォーカスレンズが、如何なる方法によって配置されていてもよく、図１に示すような電子アクティブレンズ１０２および固定フォーカスレンズ１０４の特定の配置に限定されるものではない。より具体的には、如何なる数の電子アクティブレンズ、および如何なる数の固定フォーカスレンズが、如何なる順序、また、電子アクティブレンズと固定フォーカスレンズとの間の如何なる離隔距離（離隔させない場合も含む）をもって、配置されてもよい。例として、固定フォーカスレンズ１０４は、図１に示す配置とは逆に、電子アクティブレンズ１０２の前に配置されてもよい。
【００１０】
ダイナミックフォーカスシステム１００は、焦点面１０６をさらに備える。この焦点面１０６は、電荷結合素子（ＣＣＤ：Ｃｈａｒｇｅ  Ｃｏｕｐｌｅｄ  Ｄｅｖｉｃｅ）、相補型金属酸化膜半導体装置（ＣＭＯＳ：Ｃｏｍｐｌｅｍｅｎｔａｒｙ  Ｍｅｔａｌ  Ｏｘｉｄｅ  Ｓｅｍｉｃｏｎｄｕｃｔｏｒ）、カメラ（例えばフィルムカメラ）、または、電子アクティブレンズ１０２と固定フォーカスレンズ１０４との協働によってフォーカスされた画像を受け取って、処理することが可能な、他の如何なる装置であってもよい。電子アクティブレンズ１０２は、電気的アプリケーションを介したレンズによって供給された屈折力を、調整する、変化させる、またはチューニングすることが可能な、如何なる電子アクティブレンズであってもよい。一般的には、電子アクティブレンズ１０２は、第一の基材１０８と、液晶を含む電子アクティブレイヤー１１０と、第二の基材１１２とを有する。
【００１１】
電子アクティブレンズ１０２、固定フォーカスレンズ１０４、および焦点面１０６は、固定された空間的位置に配置される。すなわち、ダイナミックフォーカスシステム１００は、可動コンポーネントまたは可動部品を用いることなく、フォーカス能力（例えばオートフォーカス機能）を提供することができる。
【００１２】
ダイナミックフォーカスシステム１００は、如何なる数のフォーカスポイントを提供してもよい。特に、ダイナミックフォーカスシステム１００は、ダイナミックフォーカスシステム１００から如何なる距離１１４に配置された対象物からの光をも、焦点面１０６にフォーカスすることができる。焦点面１０６は、ダイナミックフォーカスシステム１００のフォーカス要素（例えば図１に示す電子アクティブレンズ１０２および固定フォーカスレンズ１０４）から如何なる距離の位置に配置されてもよい。一般的に、焦点面１０６と、ダイナミックフォーカスシステム１００のフォーカス要素との間の距離１１６は、ダイナミックフォーカスシステム１００が用いられるアプリケーションによって決定される。このことは、当業者であれば容易に理解されるであろう。例えば、携帯電話に用いられる場合、距離１１６は、手持ち用デジタルカメラのアプリケーションの場合と比べて、より小さくなる。
【００１３】
一般的に、固定フォーカスレンズ１０４は、例えば２０〜３５０ディオプトリの範囲の固定屈折力を提供することができる。固定フォーカスレンズ１０４によって供される固定屈折力は、距離１１６や、電子アクティブレンズ１０２によって供される可変屈折力を含む、多くの要素に依存する。電子アクティブレンズ１０２のタイプや構造に依存して、電子アクティブレンズ１０２は、可能な屈折力の範囲内において、多離散的な、および／または、連続的に可変な屈折力を提供することができる。可能な屈折力の範囲は、可変フォーカス能力を提供するために、ポジティブ、ネガティブ、および／またはニュートラルな屈折力を含む。
【００１４】
限定的でない実施例として、固定フォーカスレンズ１０４は、５１ディオプトリの固定屈折力を提供することができる。また、電子アクティブレンズは、０．５ディオプトリの量子化単位で、−１．０から１ディオプトリの範囲の屈折力を提供することができる。したがって、電子アクティブレンズ１０２は、−１．０、−０．５、０、０．５、および１．０ディオプトリの屈折力を提供するように制御することができる。これにより、ダイナミックフォーカスシステム１０１のフォーカス要素は、５０．０、５０．５、５１．０、５１．５、および５２ディオプトリの連結屈折力を提供することができる。例えばフォーカス要素と焦点面との間の距離１１６のような焦点距離に基づいて、ダイナミックフォーカスシステム１００は、いくつかの異なる距離にて対象物をフォーカスすることができる。例えば焦点距離１１６が２ｃｍである場合に関しては、ダイナミックフォーカスシステムは、近似的に無限、２ｍ、１ｍ、２／３ｍ、１／２ｍで、離散的なフォーカスポイントを提供することができる。ダイナミックフォーカスシステム１００のアパーチャーサイズは、フォーカスポイントの範囲（例えば被写界深度：ｄｅｐｔｈ  ｏｆ  ｆｉｅｌｄ）に影響を与える。よって、チューニング可能な範囲は、本質的に連続的となる。
【００１５】
図２は、本発明の一局面に係るダイナミックフォーカスシステム２００を示す。ダイナミックフォーカスシステム１００と同様に、ダイナミックフォーカスシステム２００は、可動部品や可動コンポーネントを用いることなく（すなわち、構成要素のコンポーネントは、互いに光学軸に沿って移動することが不可能となっている）、様々な距離に配置された対象物をフォーカスする能力を提供することができる。ダイナミックフォーカスシステム２００は、電子アクティブレンズ１０２と、第一の固定フォーカスレンズ２０２と、第二の固定フォーカスレンズ２０４とを備える。これらのレンズは、全て光学的に連結されている。
【００１６】
ダイナミックフォーカスシステム２００は、下記を除いて、上記したダイナミックフォーカスシステム１００と同様の方法で動作する。すなわち、ダイナミックフォーカスシステム２００のフォーカス要素（電子アクティブレンズ１０２と、第一および第二固定フォーカスレンズ２０２，２０４）は、結合された複合レンズまたは複合レンズ要素を構成するように、互いに連結されている（一方、ダイナミックフォーカスシステム１００のフォーカス要素は、互いに分離され、それぞれの要素が、物理的に互いに離隔して配置されている）。一般的に、本発明に係るダイナミックフォーカスシステムにおいては、如何なる数の固定フォーカスレンズおよび電子アクティブレンズを用いて、複合フォーカス要素または分離フォーカス要素の如何なる組み合わせを利用してもよい。さらに、本発明に係るダイナミックフォーカスシステムは、電子アクティブレンズを対象物の近くに配置する（固定フォーカスレンズは、例えば図１に示すように、対象物から離れて配置される）ことも可能であり、または、固定フォーカスレンズを対象物の近くに配置する（電子アクティブレンズは、対象物から離れて配置される）ことも可能である。それとは逆に、本発明に係るダイナミックフォーカスシステムは、電子アクティブレンズを焦点面の近くに配置する（固定フォーカスレンズは、例えば図１に示すように焦点面から離れて配置される）ことも可能であり、または、固定フォーカスレンズを焦点面の近くに配置する（電子アクティブレンズは、焦点面から離れて配置される）ことも可能である。
【００１７】
上記したように、電子アクティブレンズ１０２は、屈折力を調整または変化させることが可能な如何なる電子アクティブレンズを適用してもよい。電子アクティブレンズ１０２として適用可能な電子アクティブレンズの例としては、エッチングによりパターン化された電子アクティブレンズ（ｅｔｃｈｅｄ  ｐａｔｔｅｒｎｅｄ  ｅｌｅｃｔｒｏ−ａｃｔｉｖｅ  ｌｅｎｓ）や、リソグラフィーによりパターン化された電極を備える電子アクティブレンズ（ａｃｔｉｖｅ  ｌｅｎｓ  ｗｉｔｈ  ｌｉｔｈｏｇｒａｐｈｉｃａｌｌｙ−ｐａｔｔｅｒｎｅｄ  ｅｌｅｃｔｒｏｄｅｓ）、およびリソグラフィーによりパターン化された抵抗ブリッジを用いた電子アクティブレンズが、含まれる。
【００１８】
エッチングパターン電子アクティブレンズは、パターン（屈折パターンまたは回折パターン）を基材（例えば眼科用樹脂材料）にエッチングすることによって製造される。このエッチングパターンは、透明の伝導体（例えばインジウムスズ酸化物：ＩＴＯ）、および、液晶側に向けた好ましい配列方向を形成するための配向層によってコーティングされる。その他エッチングされていない基材も、ＩＴＯおよび配向層によって同様にコーティングされる。二つの基材は、近接して互いに接合される。液晶は、基材間の空洞内に密封される。
【００１９】
基材材料および液晶材料は、電子アクティブレンズがオフ状態のときに、これら材料が互いに同じ屈折率を有するように、選択される。電子アクティブレンズがオン状態となったとき、複屈折性液晶の屈折率は変化し、これにより、液晶が、二つの基材と異なる屈折率を有することとなる。その結果、エッチングパターンが機能し、電子アクティブレンズの屈折力を変化させることができる。
【００２０】
米国特許Ｎｏ．５７１２７２１号、米国特許Ｎｏ．６５１７２０３号、および米国特許出願Ｎｏ．１２／４０８９７３号（２００９年３月２３日出願）は、いずれも電子アクティブレンズ１０２を構成するために利用可能なエッチングパターン電子アクティブレンズを開示している。これらは、全体のレファレンスによって組み込まれている。
【００２１】
リソグラフィーパターン電子アクティブレンズは、ＩＴＯコーティングされた基材を用いることができる。この基材は、互いに電気的に絶縁された同心円状の電極を形成するために、続けてリソグラフィーによりパターン化される。パターン化された基材は、その後に、エッチングパターン電子アクティブレンズの上記基材と同様に、上記電極とともに他方の基材と結合される。その後に、液晶が、二つの基材の間に密封される。液晶の屈折率に勾配を設けるために、異なる電圧のアレイが、個々のリングに適用され、その結果、動的屈折力を提供するレンズを形成することができる。この設計アプローチによって、電子アクティブレンズが、電極間に亘って設けられた電圧勾配の機能として、ポシティブまたはネガティブの屈折力を供することを可能とする。
【００２２】
米国特許Ｎｏ．６５１７２０３号、米国特許Ｎｏ．７２６４３５４号、および米国特許出願Ｎｏ．１２／１３５５８７号（２００８年６月９日出願）は、いずれも、電子アクティブレンズ１０２を形成するために適用可能なリソグラフィーパターン電子アクティブレンズを開示している。これらは、全体のレファレンスによって組み込まれている。
【００２３】
抵抗ブリッジを用いたリソグラフィーパターン電子アクティブレンズは、他の電極から電気的に絶縁されていないリソグラフィーパターンリング電極を用いることができる。その代わりに、パターン化された電極は、抵抗ブリッジを使用して、隣接するパターン化電極に接続される。抵抗ブリッジの使用によって、隣接する電極間に、小さな電位差が形成されることとなる。この構造によって、多くの電極が、ともにグループ化およびアドレス化される、または、単一電圧により制御することが可能となる。結果として、多くの電極が用いられている場合において、多くのバスラインまたはコントロールラインの必要性を、排除することができる。また、この設計は、より“チューニング可能”な電子アクティブレンズを提供することができる。このことは、当業者によって評価される事項であろう。すなわち、多くの光位相プロファイル、または球形レンズパワーが、単にレンズ間の電圧プロファイルを調整することによって達成され、本質的にアナログの屈折力制御を可能としている。
【００２４】
米国特許出願Ｎｏ．１２／４１０８８９号（２００９年３月２５日出願）、および米国暫定特許出願Ｎｏ．６１／２６９１１０号（２００９年６月１９日出願）は、いずれも、電子アクティブレンズを形成するために使用された抵抗ブリッジを用いるリソグラフィーパターン電子アクティブレンズを開示している。これらは、全体のレファレンスによって組み込まれている。
【００２５】
図３は、従来のズームレンズシステム３００を示している。従来のズームレンズシステム３００は、可動部品を必要としている。特に、ズーム動作を提供するために、一つまたは複数の可動レンズを必要とする。従来のズームレンズシステム３００は、第一のレンズ３０２と、第二のレンズ３０４と、第三のレンズ３０６と、第四のレンズ３０８と、焦点面３１０とを備える。第一のレンズ３０２は、凸レンズである。第二のレンズ３０４は、凹レンズである。第三のレンズは、凸レンズである。そして、第四レンズは、凸レンズであって、フォーカス要素として機能する。
【００２６】
従来のズームシステム３００を構成する、いずれの、または全てのコンポーネントは、可動であってもよく、少なくとも一つのコンポーネントは、求められるズーム機能を提供するために、移動することを要求される。従来のズームシステム３００においては、図３に示されているように、第二レンズ３０４が可動であることが、要求されている。従来のズームレンズ３００は、図３において、ワイドアングル設定として示されている。特に、第二のレンズ３０４は、図示されているように、対象物から離れるように（すなわち、第一のレンズ３０２から離れるように）移動する。第一のレンズ３０２から離れるように第二のレンズ３０４を移動させることは、対象物の倍率を減じさせることとなる。なぜならば、第一レンズ３０２に入射する実質的に全ての光は、焦点面３１０にフォーカスされるからである。
【００２７】
図４は、ズームまたは望遠設定における従来のズームシステム３００を示している。具体的には、第二のレンズ３０４が、対象物に近づく方向（すなわち、第一レンズ３０２に近づく方向）に移動している。第一のレンズ３０２に近づくように第二のレンズ３０４を移動させることは、対象物の倍率を増加させることとなる。なぜならば、第一レンズ３０２に入射する光のうち一部のみが、焦点面３１０にフォーカスされるからである。
【００２８】
図５は、本発明の一局面に係るズームシステム５００を示している。ズームシステム５００は、第一の電子アクティブレンズ１０２−Ａと、第二の電子アクティブレンズ１０２−Ｂと、フォーカス要素５０４と、焦点面５０６とを備える。フォーカス要素５０４は、両凸レンズとして図示されているが、これに限定されるものではない。すなわち、フォーカス要素５０４は、例えば、いずれの固定フォーカスレンズであってもよい。焦点面５０６としては、ＣＣＤ、カメラ、または、フォーカス要素５０４から出力された光を受け取り、処理することが可能なその他装置を適用することができる。ズームシステム５００は、一つまたは複数の固定フォーカスレンズを追加してもよく、コンポーネントの配置や間隔に関して、図５に示すものに限定されない。例えば、第一の電子アクティブレンズ１０２−Ａ、および／または第二の電子アクティブレンズ１０２−Ｂは、単独で動作した場合に、これらの電子アクティブレンズによって供給されるものから得ることができる屈折力を増加するために、一つまたは複数の固定フォーカスレンズと結合されてもよい（例えば、光学的に連結するように配置される）。
【００２９】
第一および第二の電子アクティブレンズ１０２−Ａ，１０２−Ｂは、上記した如何なる電子アクティブレンズであってもよい。第一および第二の電子アクティブレンズ１０２−Ａ，１０２−Ｂと、フォーカス要素５０４と、焦点面５０６とは、望ましい、または要求される如何なる距離で互いに離隔して配置されてもよい。ズームシステム５００は、可動部品または可動コンポーネントを必要とすることなく、従来のズームシステム３００と同様のズーム機能を提供することができる。すなわち、ズームシステム５００は、固定され不可動な各構成コンポーネント（例えば第一および第二の電子アクティブレンズ１０２−Ａ，１０２−Ｂ、フォーカス要素５０４、ならびに焦点面５０６）によって、距離５０２で対象物を見た場合に、ズーム機能とワイドアングル機能とを提供することができる。
【００３０】
ズームまたは望遠設定を提供するために、第一の電子アクティブレンズ１０２−Ａは、ネガティブ（例えば、マイナスまたは発散）の屈折力を提供するように制御され、第二の電子アクティブレンズ１０２−Ｂは、ポジティブ（例えば、プラスまたは収束）の屈折力を提供するように制御される。当業者であれば評価するであろう事項だが、このようなネガティブ屈折力のレンズとポジティブ屈折力のレンズとの特定のコンビネーションは、対象物の倍率を増加させることができる。なぜならば、第一の電子アクティブレンズ１０２−Ａに入射する光のうち、一部のみが、焦点５０６にフォーカスされることとなるからである。
【００３１】
ワイドアングル設定を提供するために、第一の電子アクティブレンズ１０２−Ａは、ポジティブ（例えば、プラスまたは収束）の屈折力を提供するように制御され、第二の電子アクティブレンズ１０２−Ｂは、ネガティブ（例えば、マイナスまたは発散）の屈折力を提供するように制御される。当業者であれば評価するであろう事項だが、このようなネガティブ屈折力のレンズとポジティブ屈折力のレンズとの特定のコンビネーションは、対象物の倍率を低減させることができる。なぜならば、第一の電子アクティブレンズ１０２−Ａに入射する実質的に全ての光が、焦点５０６にフォーカスされることとなるからである。
【００３２】
第一および第二の電子アクティブレンズ１０２−Ａ、１０２−Ｂが、ともにオフ状態であるとき（例えば、各電子アクティブレンズ１０２−Ａ、１０２−Ｂが、０またはニュートラルな屈折力を提供するとき）は、対象物の非拡大画像が、焦点面５０６に形成される。
【００３３】
上記したように、本発明に係るズームシステム５００は、コンビネーションとして用いられてもよいし、または、如何なる数の固定フォーカスレンズ、或は追加の電子アクティブレンズを備えていてもよい。さらに、ズームシステム５００は、本発明に係るダイナミックフォーカスシステム（例えば、ダイナミックフォーカスシステム１００および／または２００）とのコンビネーションとして用いることも可能であるし、ダイナミックフォーカスシステムが、対象物の距離が変化するにつれて、拡大または縮小された画像のフォーカスを、焦点面へ維持するように動作させることも可能である。
【００３４】
ズームシステム５００、またはその一部は、上記した従来のズームシステムとの結合として用いられてもよい。このような構成（不可動レンズ要素と可動レンズ要素とを組み合わせる構成）においては、可動レンズ要素の動きによって、第一レベルの調整が提供され（例えば、粗い調整）、不可動レンズ要素（例えば、電子アクティブレンズおよび固定レンズ）によって、第二レベルの調整が提供される（例えば、微調整）。本発明に係るこれらシステムは、機械的システムまたは電子アクティブズームシステムのいずれもが独立してもたらすことのできる範囲を超えたズームレベルの変更を要求される場合に、有益である。または、機械的システムが供給できるスピードよりも高速なズーム変更のスピードが要求された場合にも、有利である。
【００３５】
図６は、本発明の一局面に係るズームシステム６００を示している。図６に示しているように、ズームシステム６００は、第一のレンズ６０２と、第二のレンズ６０４と、第三のレンズ６０６と、第四のレンズ６０８と、焦点面６１０とを備える。第一のレンズ６０２は、凸レンズである。第二のレンズ６０４は、凹レンズである。第三のレンズ６０６は、凸レンズである。そして、第四のレンズ６０８は、凸レンズであって、フォーカス要素として機能する。ズームシステム６００は、電子アクティブレンズ６１２をさらに備える。電子アクティブレンズは、上記したいずれの電子アクティブレンズを適用してもよい（例えば、電子アクティブレンズ１０２に関して上記したいずれの設計バリエーション、構造であってもよい）。
【００３６】
ズームシステム６００は、図６に図示されている形態に限定されるものではない。すなわち、ズームシステム６００は、構成要素であるレンズ要素の特定の配置、および要素間の距離に限定されない。さらに、電子アクティブレンズ６１２および第二のレンズ６０４は、複合レンズを形成するように結合されてもよく、または、互いに物理的に離隔されてもよい（例えば、図６に示すように）。さらに、電子アクティブレンズ６１２は、第二のレンズ６０４の前に配置されてもよい。本発明の一局面によれば、ズームシステム６００のそれぞれの構成レンズコンポーネントは、不可動であってもよい。このシナリオの下では、第二のレンズ６０４でさえ、不可動であって、電子アクティブレンズ６１２は、ポジティブおよびネガティブの屈折力を調整することによって、ズームシステム６００のズーム能力の全体を調整するために用いられる。
【００３７】
本発明の一局面によれば、ズームシステム６００のそれぞれの構成レンズコンポーネントは、第二のレンズ６００を除いて、不可動であってもよい。このシナリオの下では、第二のレンズ６０４の機械的な移動によって、ズームの粗調整を行うことができ、電子アクティブレンズ６１２の調整によって、ズームシステム６００におけるズームの微調整を行うことができる。
【００３８】
本発明の一局面によれば、図６に示された如何なるレンズグループは、レンズグループまたはレンズ要素の屈折力をさらに調整するための電子アクティブレンズを含むように修正されてもよい。
【００３９】
本発明に係るダイナミックフォーカスシステム（例えば、ダイナミックフォーカスシステム１００および／または２００）、およびズームシステム（例えば、ズームシステム５００および／または６００）は、ローカルまたはリモートのプラグラマブルコントローラによって動作または操作されてもよい。このコントローラは、電子アクティブレンズおよび本発明に係るダイナミック光学システムの要素から提供される屈折力を起動、停止、および制御することができる。コントローラは、本発明に係るダイナミック光学システムを、自動的に操作することができる。または、コントローラは、使用者または手動による制御や入力に応答するように構成することもできる。
【００４０】
本発明に係るダイナミックフォーカスシステム（例えば、ダイナミックフォーカスシステム１００および／または２００）、およびズームシステム（例えば、ズームシステム５００および／または６００）は、従来のフォーカスシステムおよびズームシステムに比べて、より多くの利益をもたらす。具体的には、本発明の一局面として上記したように、本発明に係るダイナミックフォーカスシステム、および本発明に係るダイナミックズームシステムの双方とも、可動部品または可動コンポーネントを必要としない。したがって、本発明係るこれらシステムは、従来と比して、より薄く、より軽量に製造することが可能である。可動の構成コンポーネントのためのシステムを備える必要なく、本発明係るシステムは、より少ないコンポーネントにより構成することが可能となり、その結果、より低コストでの製造が可能となる。
【００４１】
さらに、本発明に係るダイナミックフォーカスシステムおよびズームシステムは、薄い電子アクティブレンズを用いて製造することができる。その結果、フォーカスチェンジのスピードが、従来のシステムと比べて改善されることとなる。また、可動部品を省くことによって、本発明に係るシステムが、衝撃や振動に対してより耐性を有することを可能とし、且つ、これらシステムが、微粒子汚染による影響を受け難くすることができる。したがって、本発明に係るシステムは、埃、砂、摩耗、および折損による故障の可能性を低減することができる。
【００４２】
結言：本発明に係る様々な実施形態が、上記のように説明されたが、これらは一実施例として手供されたものであって、これに限定されるものではないことは、理解されたい。本発明の概念および範囲を逸脱することなく、形態および詳細における様々な変更を行うことが可能であることは、当業者にとって自明である。したがって、本発明は、本願の特許請求の範囲によって規定されるべきである。
【符号の説明】
【００４３】
１００，２００  ダイナミックフォーカスシステム、１０２，１０２−Ａ，１０２−Ｂ  電子アクティブレンズ、１０４，２０２，２０４  固定フォーカスレンズ、１０６，３１０，５０６，６１０  焦点面、１０８，１１２  基材、１１０  電子アクティブレイヤー、１１４，１１６，５０２  距離、３００  ズームシステム、３０２，３０４，３０６，６０２，６０４，６０６，６０８  レンズ、５０４  フォーカス要素。
【図１】
0005622749.tif 000002
【図２】
0005622749.tif 000003
【図３】
0005622749.tif 000004
【図４】
0005622749.tif 000005
【図５】
0005622749.tif 000006
【図６】
0005622749.tif 000007